(57)【要約】【課題】超音波を送受する振動子と受信回路との間において伝送される受信信号のチャネルを、より良好な特性を有するスイッチ構成により切り換えることが可能な超音波診断装置である。【解決手段】超音波診断装置２０は、被検体に超音波パルスを送信して生じた反射波を受信する複数の圧電振動子２６と、各圧電振動子２６にそれぞれ送信信号を与えて駆動させる送信回路２４と、各圧電振動子２６からの受信信号をそれぞれ受信する受信回路２５とを備える。受信回路２５に、受信信号を増幅する増幅器２８と、送信信号の振幅に対してインピーダンスが大きく、受信信号の振幅に対してインピーダンスが小さい振幅制限回路３１と、振幅制限回路３１を通った受信信号を増幅器２８に導くチャネルを切り換え、かつ送信信号の振幅よりも小さく受信信号の振幅よりも大きい振幅に対する耐圧特性を有するアナログスイッチ３０とを設けた。【選択図】  図１
2006087602.tif 000002
【特許請求の範囲】
【請求項１】
被検体に超音波パルスを送信して生じた反射波を受信する複数の圧電振動子と、前記各圧電振動子にそれぞれ送信信号を与えて駆動させる送信回路と、前記各圧電振動子からの受信信号をそれぞれ受信する受信回路とを備え、前記受信回路に、前記受信信号を増幅する増幅器と、前記送信信号の振幅に対してインピーダンスが大きく、前記受信信号の振幅に対してインピーダンスが小さい振幅制限回路と、前記振幅制限回路を通った前記受信信号を前記増幅器に導くチャネルを切り換え、かつ前記送信信号の振幅よりも小さく前記受信信号の振幅よりも大きい振幅に対する耐圧特性を有するアナログスイッチとを設けたことを特徴とする超音波診断装置。
【請求項２】
前記アナログスイッチをＣＭＯＳスイッチで構成したことを特徴とする請求項１記載の超音波診断装置。
【請求項３】
並列チューニング回路を前記アナログスイッチと前記増幅器との間に設けたことを特徴とする請求項１記載の超音波診断装置。
【請求項４】
並列チューニング回路を前記アナログスイッチよりも前記圧電振動子側に設けたことを特徴とする請求項１記載の超音波診断装置。
【発明の詳細な説明】
【技術分野】
【０００１】
本発明は、被検体に超音波信号を送信し、反射波を受信して解析することにより被検体内の情報を得る超音波診断装置に関する。
【背景技術】
【０００２】
超音波診断装置は、超音波プローブに内蔵された圧電振動子から被検体内に超音波パルスを照射し、被検体内で生じた反射波を圧電振動子で受信して各種処理を行なうことにより被検体内の断層画像や血流情報等の生体情報を得る装置である。
【０００３】
図５は、従来の超音波診断装置の一例を示す構成図である（例えば特許文献１参照）。
【０００４】
図５に示す従来の超音波診断装置１は、装置本体２に受信回路３と送信回路４とを設け、さらに、受信回路３と送信回路４とを信号線５を介して共通の超音波プローブ６と接続した構成である。超音波プローブ６は、通常６０素子から２００素子程度の圧電振動子７を設けて構成される。
【０００５】
そして、超音波プローブ６には、圧電振動子７の数に応じて複数の信号線５が接続される。すなわち、各信号線５の一端は、それぞれ圧電振動子７と接続され、他端は分岐してそれぞれ受信回路３および送信回路４に導かれる。
【０００６】
また、超音波プローブ６側から送信回路４側に分岐した各信号線５上には、高耐圧スイッチ７が設けられ、複数の圧電振動子７に共通の送信回路４から送信信号を送信できるように構成される。
【０００７】
同様に、超音波プローブ６側から受信回路３側に分岐した各信号線５上には、ダイオードスイッチ８が設けられ、ダイオードスイッチ８の他端はそれぞれプリアンプ９と接続される。そして、複数の圧電振動子７からの受信信号を共通の受信回路３で受信できるように構成される。
【０００８】
ダイオードスイッチ８は、スイッチ（ＳＷ）切換回路１０と接続され、ＳＷ切換回路１０からのスイッチ切換信号によりダイオードのバイアス状態を切り換えてスイッチとする構成である。また、ダイオードスイッチ８には、過剰な電流が流れた場合に電流をアースにバイパスするバイパスコンデンサ１１が設けられる。
【０００９】
尚、高耐圧スイッチ８を設けずに、圧電振動子７ごとにそれぞれ専用の受信回路３および送信回路４を接続した構成の超音波診断装置もある。
【００１０】
そして、図５に示す従来の超音波診断装置１では、高耐圧スイッチ７の開閉により送信信号のチャネルおよび圧電振動子７が選択され、送信回路４から送信信号が信号線５を介して超音波プローブ６内の選択された圧電振動子７に電気パルスとして印加される。このため、圧電振動子７は駆動して、被検体に超音波信号を送信する。さらに、被検体内では、反射波が生じて再び圧電振動子７により受信され、電気信号に変換されて受信信号として受信回路３に与えられることにより、装置本体２において受信される。
【００１１】
ここで、送信信号は、圧電振動子７から十分な信号強度の超音波信号が被検体内に送信され、再び圧電振動子７で反射波を十分な信号強度で受信するために振幅が例えば最大数１００Ｖｐｐで周波数が１ＭＨｚ〜１０数ＭＨｚの信号とされる一方、圧電振動子７の振動子インピーダンス数は１０Ω〜数１００Ωとされる。つまり、圧電振動子７に十分な振動エネルギを与えるために必要なパワーが送信信号として投入される。
【００１２】
また、このような送信信号の条件により、受信信号はノイズレベルが１〜２ｎＶ／ｒｔＨｚ程度で振幅がノイズレベルから数１０ｍＶｐｐ程度までの信号として得ることができる。
【００１３】
さらに、受信回路３において受信された受信信号はダイオードスイッチ８に導かれる。そして、ＳＷ切換回路１０からスイッチ切換信号がダイオードスイッチ８に与えられ、ダイオードスイッチ８の駆動により選択されたチャネルの受信信号がプリアンプ９に与えられる。このようにしてプリアンプ９に与えられた受信信号は、増幅されて後段の図示しない制御系に与えられ、被検体内の構造や血流等の情報を得るための元データとされる。
【００１４】
つまり、図５に示す従来の超音波診断装置１は、振幅の大きい送信信号については高耐圧スイッチ８により、振幅の小さい受信信号についてはＯＮ抵抗の小さいダイオードスイッチ８によりそれぞれ切り換えて送受信することにより、受信回路３および送信回路４の数を低減させた構成である。
【００１５】
図６は、従来の超音波診断装置の別の例を示す構成図である。
【００１６】
図６に示す従来の超音波診断装置１Ａは、図５に示す従来の超音波診断装置１と同様に、本装置体２に受信回路３と送信回路４とを設け、さらに、受信回路３と送信回路４とを信号線５を介して共通の超音波プローブ６と接続した構成である。
【００１７】
超音波プローブ６には、圧電振動子７の数に応じて複数の信号線５が接続される。すなわち、各信号線５の一端は、それぞれ圧電振動子７と接続され、他端は分岐してそれぞれ受信回路３および送信回路４に導かれる。
【００１８】
また、超音波プローブ６側の送信信号と受信信号に共通の各信号線５上には、高耐圧スイッチ１２が設けられる一方、超音波プローブ６側から受信回路３側に分岐した各信号線５上にはリミッタ１３が設けられる。
【００１９】
そして、図６に示す従来の超音波診断装置１Ａでは、送信信号と受信信号のチャネル選択に共通の高耐圧スイッチ１２に駆動により送信信号と受信信号のチャネルが選択される。さらに、送信回路４から送信信号が高耐圧スイッチ１２を経由して圧電振動子７に与えられる一方、受信信号が高耐圧スイッチ１２およびリミッタ１３を経由して圧電振動子７から受信回路３内のプリアンプ９に与えられる。
【００２０】
この際、振幅の大きい送信信号はリミッタ１３によりプリアンプ９側に流れ込まないように制限される。
【特許文献１】特開平８−１３１４４０号公報
【発明の開示】
【発明が解決しようとする課題】
【００２１】
図５、図６に示すように従来の超音波診断装置１、１Ａは、信号のチャンネルをスイッチ手段により切り換えることができるように構成し、圧電振動子７の数よりも少ない数の受信回路３および送信回路４で超音波診断装置１、１Ａを構成できるようにしたものである。
【００２２】
この場合、スイッチ手段には、低容量、低オン抵抗、高いオフアイソレーション（高ＯＦＦ抵抗）、短い切換え時間、送信信号との接点や通過点における高耐圧性、配置が容易であること、小パッケージ（高密度実装）であること並びに安価であること等の特性が要求される。
【００２３】
しかし、図５に示すダイオードスイッチ８を備えた従来の超音波診断装置１では、以下の問題がある。
【００２４】
まず、第１に、従来の超音波診断装置１では切換え時間がかかるという問題がある。従来の超音波診断装置１では、受信信号のチャネルごとにダイオードスイッチ８にバイパスコンデンサ１１が必要となる。仮にバイパスコンデンサ１１を設けないとすると、送信信号やＳＷ切換回路１０からの制御信号によりスパイク電流が基板を流れ、誤動作や他のチャネルへのノイズの混入に繋がる恐れがある。
【００２５】
従って、従来の超音波診断装置１にバイパスコンデンサ１１は必須となるが、例えばＳＷ切換回路１０の出力インピーダンスが１０ｏｈｍであり、バイパスコンデンサ１１の容量が０．１μＦの場合には、ダイオードスイッチ８を切り換えたときの時定数が、１０ｏｈｍ×０．１μＦ＝１０μｓｅｃとなる。このため、実際にダイオードスイッチ８を切り換えた場合にもとの状態に戻るまでに必要な時間は時定数の約１０倍の１００μｓｅｃ程度となる。
【００２６】
ところが、超音波プローブ６に備えられる圧電振動子７の数よりも受信チャネルの数が少ない場合には、受信チャネルを順次切り換えてスキャンを実行して画像を生成するが、例えば６７μｓｅｃ（周波数１５ｋＨｚ）程度で受信信号を受信するとともに受信チャネルを切り換えた後、別の受信チャネルで受信信号を受信することになる。
【００２７】
つまり、受信チャネルの切換えに要する時間が短いことが重要であり、おおよそ１０μｓｅｃ程度が実用レベルである。これに対し、ダイオードスイッチ８による受信チャネルの切換えでは、切換え時間が１００μｓｅｃ程度と時間がかかりすぎるため、実用的ではない。
【００２８】
そして、受信チャネルの切換えが不完全であると、ダイオードスイッチ８のクランプ電圧やインピーダンスが変動し、特に受信信号の時間的変動に基づいた画像処理によって得られるドップラー画像では、アーチファクトが生じるという深刻な問題となる。
【００２９】
第２に、従来の超音波診断装置１ではオフアイソレーションが悪いという問題がある。
【００３０】
従来の超音波診断装置１では送信信号の電圧がグランド（ＧＮＤ）レベルよりマイナス側となった場合、例えばバイポーラ送信やアンダーシュートの場合には、ダイオードスイッチ８がＯＮすることになる。その後、送信信号の電圧がＧＮＤレベルよりもプラス側になると、ダイオードスイッチ８の逆回復時間中は送信信号を通してしまう。
【００３１】
また、送信信号の電圧がＧＮＤレベルよりもマイナス側になることがなくても、ダイオードスイッチ８には寄生容量がある。送信信号の波形は、２００Ｖ程度の大きい振幅と高速な立ち上がりと立下りとを有するため、ダイオードスイッチ８を通り抜けやすい。そして、送信信号がダイオードスイッチ８を通り抜けるとプリアンプ９の飽和や超音波画像におけるアーチファクトの発生要因となる。
【００３２】
第３に従来の超音波診断装置１では、受信信号バイアスが変動するという問題がある。
【００３３】
ダイオードスイッチ８は、ＯＮ状態にする際には各ダイオードに順方向の電圧が印加される。一般的なダイオードスイッチ８では、ＯＮ状態にするために０．７Ｖ程度の電圧を印加する必要がある。この特性によりダイオードスイッチ８では、ＯＦＦ状態とＯＮ状態とでバイアス点が変動することになる。
【００３４】
そこで、ダイオードスイッチ８では、受信信号ラインにコンデンサが挿入されて、ＡＣカップリングとされている。このＡＣカップリング用のコンデンサは、挿入損失を小さくするために大きい容量のものを使う必要がある。
【００３５】
また、ダイオードスイッチ８に設けられる抵抗は、小さいと電流性ノイズが発生してＮＦ（Noise Figure）として超音波画像に影響するため、ある程度大きい値のものが用いられる。
【００３６】
このため、ダイオードスイッチ８のＯＦＦ状態とＯＮ状態とを切り換えたときのバイアス点の復帰時間の時定数が大きくなり、復帰時間が長くなる。すなわち、ダイオードスイッチ８がＯＦＦ状態からＯＮ状態となった場合に、バイアス点が本来の期待値に復帰するには、ＳＷ切換回路１０から比較的値の大きい各抵抗、各ダイオードを介して供給された電流によりＡＣカップリング用の容量の大きいコンデンサが充電されなければいけないので、バイアス点が安定するまでに長い時間を要する。
【００３７】
一方、図６に示す送信信号と受信信号に共通の高耐圧スイッチ１２を備えた従来の超音波診断装置１Ａでは、以下の問題がある。
【００３８】
まず、第１に、従来の超音波診断装置１Ａでは、受信信号および送信信号を切り換えるための高耐圧スイッチ１２において、高耐圧オフアイソレーションと低ＯＮ抵抗が相反する特性であるため両立しないという問題がある。例えば、振幅が２００Ｖｐｐから３００Ｖｐｐ程度の送信信号に耐えられる高耐圧スイッチ１２は、ＯＮ抵抗が３０Ωから５０Ω程度と大きくなってしまう。
【００３９】
第２に、従来の超音波診断装置１Ａでは、高耐圧スイッチ１２の入出力端子容量が大きいという問題がある。高耐圧スイッチ１２の入出力端子容量は４０ｐＦ程度であり、送受信信号ラインにぶら下がる容量負荷になるので、ＮＦとしての影響が大きくなる。
【００４０】
第３に、従来の超音波診断装置１Ａでは、高耐圧スイッチ１２のスイッチングノイズにより超音波画像にアーチファクトが発生するという問題がある。すなわち、高耐圧スイッチ１２のスイッチングノイズが送受信信号ラインにのると、あたかも送信信号のように振動子を駆動させるため、期待するタイミングとは異なるタイミングで超音波送信が行なわれたようなアーチファクトが超音波画像に現れる。
【００４１】
第４に、従来の超音波診断装置１Ａでは、高耐圧スイッチ１２の駆動に高電源電圧が必要が必要となるという問題がある。すなわち、高耐圧スイッチ１２には、振幅が２００Ｖｐｐから３００Ｖｐｐ程度の送信信号を通す必要があるため、高耐圧スイッチ１２を駆動させるための電源電圧はそれ以上である必要がある。そのために電源の種類が増えるとともに電源監視機構等の安全に関する設備が必要になり、超音波診断装置１Ａが高価になってしまう。
【００４２】
本発明はかかる従来の事情に対処するためになされたものであり、超音波を送受する圧電振動子と受信回路との間において伝送される受信信号のチャネルを、より良好な特性を有するスイッチ構成により切り換えることが可能な超音波診断装置を提供することを目的とする。
【課題を解決するための手段】
【００４３】
本発明に係る超音波診断装置は、上述の目的を達成するために、請求項１に記載したように、被検体に超音波パルスを送信して生じた反射波を受信する複数の圧電振動子と、前記各圧電振動子にそれぞれ送信信号を与えて駆動させる送信回路と、前記各圧電振動子からの受信信号をそれぞれ受信する受信回路とを備え、前記受信回路に、前記受信信号を増幅する増幅器と、前記送信信号の振幅に対してインピーダンスが大きく、前記受信信号の振幅に対してインピーダンスが小さい振幅制限回路と、前記振幅制限回路を通った前記受信信号を前記増幅器に導くチャネルを切り換え、かつ前記送信信号の振幅よりも小さく前記受信信号の振幅よりも大きい振幅に対する耐圧特性を有するアナログスイッチとを設けたことを特徴とするものである。
【発明の効果】
【００４４】
本発明に係る超音波診断装置においては、超音波を送受する圧電振動子と受信回路との間において伝送される受信信号のチャネルを、より良好な特性を有するスイッチ構成により切り換えることができる。
【発明を実施するための最良の形態】
【００４５】
本発明に係る超音波診断装置の実施の形態について添付図面を参照して説明する。
【００４６】
図１は本発明に係る超音波診断装置の第１の実施形態を示す構成図である。
【００４７】
超音波診断装置２０は、装置本体２１に超音波プローブ２２のプローブケーブル２３を接続して構成される。装置本体２１には、送信回路２４と受信回路２５とが設けられ、送信回路２４の入力側および受信回路２５の出力側はそれぞれ図示しない制御系と接続される。
【００４８】
超音波プローブ２２は、通常６０素子から２００素子程度の圧電振動子２６（超音波振動子）を備える。各圧電振動子２６は、それぞれ信号線２７の一端と接続され、各信号線２７の他端は分岐して一方は送信回路２４に、他方は受信回路２５に導かれる。装置本体２１と圧電振動子２６との間の信号線２７は絶縁体で保護されてプローブケーブル２３が形成される。
【００４９】
超音波プローブ２２は、各圧電振動子２６により送信回路２４から受けた送信信号を超音波信号に変換して図示しない被検体に送信する機能と、超音波信号が被検体内の臓器や血管等の器官に反射して生じた反射波を受信し、電気信号に変換して受信信号として受信回路２５に与える機能を有する。
【００５０】
圧電振動子２６は、十分な信号強度の超音波信号が被検体内に送信して、例えば１〜２ｎＶ／ｒｔＨｚ程度でノイズレベルから数１０ｍＶｐｐ程度までの十分な信号強度で反射波が受信されように、振動子インピーダンス数は１０Ω〜数１００Ωとされて、必要な振動エネルギを発生できるようにされる。
【００５１】
送信回路２４は、各圧電振動子２６から十分な信号強度の超音波信号が被検体内に送信され、再び圧電振動子２６で反射波を十分な信号強度で受信されるために必要な振動エネルギを各信号線２７を介して各圧電振動子２６にそれぞれ送信信号として与える機能を有する。
【００５２】
そして、送信回路２４は、振幅が例えば最大数１００Ｖｐｐで周波数が１ＭＨｚ〜１０数ＭＨｚの送信信号を各圧電振動子２６に与えることができるように構成される。
【００５３】
受信回路２５は、超音波プローブ２２の各圧電振動子２６から受けた受信信号を受信し、所定の信号強度のデジタル信号に変換して後段の図示しない制御系に与える機能を有する。このため、受信回路２５は、超音波プローブ２２側から、受信信号を増幅する増幅器としてのプリアンプ２８、ＡＤＣ（Analog-to-Digital Converter）２９とを直列接続して構成され、ＡＤＣ２９は目的に応じた図示しない制御系と接続される。そして、受信回路２５に与えられた受信信号は、プリアンプ２８において増幅された後、ＡＤＣ２９においてデジタル信号に変換されて後段の図示しない制御系に与えられるように構成される。
【００５４】
また、超音波診断装置２０の小型化および簡易化に向けて、複数の圧電振動子２６から受けた受信信号を共通のプリアンプ２８、ＡＤＣ２９および後段の回路により処理できるように１つのプリアンプ２８の入力側には、複数の圧電振動子２６からの信号線２７がアナログスイッチ３０を介して接続される。
【００５５】
図１は、２つの圧電振動子２６からの各信号線２７がアナログスイッチ３０を介して共通のプリアンプ２８と接続され、プリアンプ２８に導かれる２つの受信信号のチャネルをアナログスイッチ３０により切り換えて選択することができるようにした構成を示す例である。
【００５６】
アナログスイッチ３０は、少なくとも送信信号の振幅よりも小さく受信信号の振幅よりも大きい振幅に対する耐圧特性を有する。つまり、アナログスイッチ３０は、送信信号のような大きい振幅には耐えられないが、受信信号のように小さい振幅に対しては耐えられる低耐圧のものが用いられる。このような特性を有するアナログスイッチ３０は、好適には例えばＣＭＯＳ（Complementary Metal-Oxide Semiconductor）スイッチで構成することができる。ＣＭＯＳスイッチは、ＦＥＴ（Field-Effect Transistor）スイッチをＰ／Ｎ対象にしたスイッチであり、ＯＦＦアイソレーションが良好であり、オフセットが小さく、かつ比較的安価である。
【００５７】
また、アナログスイッチ３０の超音波プローブ２２側の各信号線２７上には、それぞれ振幅制限回路としてのリミッタ３１が設けられる。さらに、アナログスイッチ３０とプリアンプ２８との間には、並列チューニング（ｔｕｎｉｎｇ）回路３２が設けられる。
【００５８】
リミッタ３１は、送信回路２４から超音波プローブ２２の各圧電振動子２６に与えられるべき送信信号の振幅に対してはインピーダンスが大きく、各圧電振動子２６から受信回路２５内のプリアンプ２８に導かれるべき受信信号の振幅に対してはインピーダンスが小さくなる特性を有する。そして、リミッタ３１により、振幅の大きい送信信号や受信信号のうち一定の閾値を超える振幅の受信信号がアナログスイッチ３０やプリアンプ２８側に入り込まないように制限される。
【００５９】
図２は、図１に示す超音波診断装置のリミッタ３１の一構成例を示す回路図である。
【００６０】
図２のようにリミッタ３１は、例えば複数のダイオードや抵抗等の回路要素により構成される。
【００６１】
リミッタ３１は、振幅依存性回路３１ａとクランプ回路３１ｂとを備える。振幅依存性回路３１ａはクランプ回路３１ｂと組み合わされることにより、送信信号に対してはインピーダンスが大きくなる一方、受信信号に対してはインピーダンスが小さくなるように構成される。
【００６２】
振幅依存性回路３１ａは、４つのダイオードＤＨ１、ＤＨ２、ＤＬ１、ＤＬ２がブリッジ状に接続されて構成される。すなわち、２つのダイオードＤＨ１、ＤＨ２は互いにアノード側で逆向きに接続され、残りの２つのダイオードＤＬ１、ＤＬ２は互いにカソード側で逆向きに接続される。さらに、逆向きに接続された２組のダイオードＤＨ１、ＤＨ２およびダイオードＤＬ１、ＤＬ２は、それぞれのカソード側とアノード側とで接続される。
【００６３】
これら振幅依存性回路３１ａの４つのダイオードＤＨ１、ＤＨ２、ＤＬ１、ＤＬ２には、送信信号の振幅電圧に耐えうる高耐圧ダイオードが用いられる。ダイオードＤＨ１、ＤＨ２、ＤＬ１、ＤＬ２は、通したい信号の振幅によって、プレーナダイオードやショットキーダイオードで構成することができる。
【００６４】
また、ダイオードＤＨ１のアノード側とダイオードＤＨ２のカソード側との間には、第１のバイアス電流供給回路３１ｃが接続される。同様に、ダイオードＤＬ１のカソード側とダイオードＤＬ２のアノード側との間にも第２のバイアス電流供給回路３１ｄが接続される。第１のバイアス電流供給回路３１ｃおよび第２のバイアス電流供給回路３１ｄは、それぞれ直列（ＤＣ）の電源電圧Ｖｐ、Ｖｎに抵抗Ｒ１、Ｒ２を直列に接続し、電源電圧Ｖｐ、Ｖｎと抵抗Ｒ１、Ｒ２との間に並列にそれぞれバイパスコンデンサＣ１、Ｃ２を設けて構成される。
【００６５】
そして、図２に示すように第１のバイアス電流供給回路３１ｃの抵抗Ｒ１側が、ダイオードＤＨ１のアノード側とダイオードＤＨ２のカソード側との間に接続され、第２のバイアス電流供給回路３１ｄの抵抗Ｒ２側が、ダイオードＤＬ１のカソード側とダイオードＤＬ２のアノード側との間に接続される。
【００６６】
第１のバイアス電流供給回路３１ｃおよび第２のバイアス電流供給回路３１ｄの電源電圧Ｖｐ、Ｖｎは、例えば＋５Ｖ、−５Ｖといった低電圧のＤＣ電圧とされる。そして、このように構成された第１のバイアス電流供給回路３１ｃおよび第２のバイアス電流供給回路３１ｄは、それぞれ振幅依存性回路３１ａにダイオードＤＨ１、ＤＨ２、ＤＬ１、ＤＬ２のアノード側からカソード側に向かうバイアス電流を供給する機能を有する。
【００６７】
すなわち、振幅依存性回路３１ａには、電源電圧Ｖｐ、Ｖｎが印加され、各ダイオードＤＨ１、ＤＨ２、ＤＬ１、ＤＬ２の順方向に抵抗Ｒ１、Ｒ２によって定まるバイアス電流が供給される。そして、振幅依存性回路３１ａへのバイアス電流の供給により、各ダイオードＤＨ１、ＤＨ２、ＤＬ１、ＤＬ２のＯＮ抵抗を小さく抑えることができるように構成される。
【００６８】
また、ダイオードＤＨ１、ＤＨ２の各カソード側およびダイオードＤＬ１、ＤＬ２の各アノード側はそれぞれ振幅依存性回路３１ａの入力側および出力側を形成する。そして、振幅依存性回路３１ａの出力側には、クランプ回路３１ｂが設けられる。
【００６９】
クランプ回路３１ｂは、互いに逆向きに並列接続して接地された２つのダイオードＤ３、Ｄ４で構成される。クランプ回路３１ｂを構成する２つのダイオードＤ３、Ｄ４には、一般的な低耐圧のダイオードを用いることができる。クランプ回路３１ｂのダイオードＤ３、Ｄ４もプレーナダイオードやショットキーダイオードで構成することができる。
【００７０】
一方、アナログスイッチ３０とプリアンプ２８との間に設けられる並列チューニング回路３２は、主としてインダクタにより構成され、ある決まった周波数の信号に対して負荷容量によるＮＦの劣化を補償する機能を有する。
【００７１】
図３は、図１に示す超音波診断装置２０の受信回路２５を含む受信系を簡略化した等価回路モデルの構成図である。
【００７２】
受信回路２５を含む受信系は、図３に示す簡略化した回路と等価である。すなわち、受信系は、電圧Ｖｓの受信信号の出力に、圧電振動子２６における熱雑音Ｅｔの発生源、圧電振動子２６の出力インピーダンスＲｔに相当する抵抗、プリアンプ２８における電圧性ノイズＥｎａの発生源、プリアンプ２８の入力インピーダンスＲａを直列に接続するとともに、プリアンプ２８と圧電振動子２６との間に負荷容量Ｃｐと並列チューニング回路３２のインダクタＬｐとを、プリアンプ２８内においてプリアンプ２８の電流性ノイズＩｎａの発生源を、それぞれ並列に接続した回路と等価である。
【００７３】
この受信系のモデルによれば、受信回路２５のプリアンプ２８に入力するトータルのノイズである入力換算ノイズＥｎｉｎは、受信信号の角周波数をωとすれば、式（１）で表される。
【００７４】
［数１］
Enin2＝Ena2・Rt2{ωCp-１/(ωLp)}2+{Ena2+(Ina・Rt)2+Et2}    ・・・（１）
つまり、並列チューニング回路３２は、式（１）のように角周波数ωの受信信号に対してインダクタＬｐを設定して負荷容量ＣｐによるＮＦの劣化を補償する機能を有する。そして、ＮＦの劣化の補償の対象となる周波数ωに応じて複数のインダクタから適切なインダクタＬｐを選択できるように構成することができる。
【００７５】
一方、超音波プローブ２２側から送信回路２４側に分岐した信号線２７上には、送受分離回路３３が設けられる。送受分離回路３３は、受信回路２５側の信号線２７上の回路を送信回路２４側の信号線２７上の回路から電気的に分離する機能を有する。送受分離回路３３は、例えば、一対のダイオードを互いに逆向きに並列接続して構成することができる。この場合、ダイオードのインピーダンスは、振幅がノイズレベルから数１０ｍＶｐｐ程度までの受信信号に対しては十分に大きく、振幅が大きい送信信号に対してはＯＮ状態となるようにされる。
【００７６】
そうすることで、受信信号に対してはダイオードのインピーダンスが十分に高く、送信回路２４側の負荷容量が受信信号に与える影響を十分に無視することができる一方、送信信号は、ダイオードを通過して超音波プローブ２２に到達することができるような送受分離回路３３を構成することができる。
【００７７】
このようなダイオードを用いた構成の他、送受分離回路３３は、バイポーラトランジスタのベースとコレクタをショートした回路やＦＥＴ（Field-Effect Transistor）のゲートとドレインをショートした回路をダイオードの代わりに用いた構成や、送信している時間のみＯＮ状態となるように制御した半導体スイッチにより構成することができる。
【００７８】
次に、超音波診断装置の作用について説明する。
【００７９】
まず、予め受信回路２５のリミッタ３１において第１のバイアス電流供給回路３１ｃおよび第２のバイアス電流供給回路３１ｄから、各ダイオードＤＨ１、ＤＨ２、ＤＬ１、ＤＬ２にバイアス電流が順方向に供給される。このため、各ダイオードＤＨ１、ＤＨ２、ＤＬ１、ＤＬ２のＯＮ抵抗が小さく抑えられる。さらに、アナログスイッチ３０が駆動せしめられてプリアンプ２８に導く受信信号のチャネルが選択される。
【００８０】
一方、図示しない制御系から送信回路２４に制御信号が与えられ、送信回路２４において数ＭＨｚから十数ＭＨｚで数百Ｖｐｐもの電気パルスが送信信号として生成される。送信回路２４において生成された送信信号は、信号線２７を介して送受分離回路３３に導かれる。送信信号の電圧は送受分離回路３３を構成するダイオードがＯＮ状態となり低インピーダンスになる電圧より大きいため、ダイオードを通過することができる。
【００８１】
送受分離回路３３を通過した送信信号は、受信回路２５側の信号線２７と送信回路２４側の信号線２７との合流点に到達し、送信信号および受信信号を伝送するための共通の信号線２７を介して超音波プローブ２２側に伝送される。
【００８２】
ここで、仮にリミッタ３１がない場合、送信信号の電圧が受信回路２５に印加される恐れがある。そして、仮に送信信号の電圧が例えば受信回路２５の低耐圧のアナログスイッチ３０やプリアンプ２８に印加されると、これらアナログスイッチ３０やプリアンプ２８が破壊されてしまう。
【００８３】
しかし、送信信号は振幅が大きいため、受信回路２５側に設けられたリミッタ３１のダイオードＤＨ１，ＤＨ２，ＤＬ１，ＤＬ２のインピーダンスを大きくしてＯＦＦにさせる。すなわち、各ダイオードＤＨ１、ＤＨ２、ＤＬ１、ＤＬ２の順方向の電圧を±ＶＦとすると、送信信号の電圧は±ＶＦの範囲外と大きい。このため、送信信号が振幅依存性回路３１ａの入力側に入力すると、受信回路２５がクランプ回路３１ｂの各ダイオードＤ３、Ｄ４によりクランプされているため、各ダイオードＤＨ１、ＤＨ２のアノード側の電位は＋２ＶＦ程度までしか上がらない。同様に、各ダイオードＤＬ１、ＤＬ２のカソード側の電位は−２ＶＦ程度までしか下がらない。
【００８４】
このため、送信信号によりダイオードＤＨ１のカソード側における電位が上がり、ダイオードＤＨ１のカソード側の電位が＋ＶＦを超えるとダイオードＤＨ１に十分な順方向の電圧が印加されなくなる。従って、ダイオードＤＨ１のインピーダンスは急激に上昇することになる。このとき、ダイオードＤＬ２のカソード側における電位も上がるため、ダイオードＤＬ２にも十分な順方向の電圧が印加されなくなる。従って、ダイオードＤＬ２のインピーダンスも急激に上昇することになる。
【００８５】
逆に、送信信号によりダイオードＤＨ１、ＤＬ２のカソード側における電位が下がり、ダイオードＤＨ１、ＤＬ２のカソード側の電位が−ＶＦ未満となるとダイオードＤＬ１、ＤＨ２に十分な順方向の電圧が印加されなくなる。従って、ダイオードＤＬ１、ＤＨ２のインピーダンスは急激に上昇することになる。
【００８６】
この結果、送信信号は、直接受信回路２５のアナログスイッチ３０やプリアンプ２８に入ることなくアッテネート（減衰）されるため、アナログスイッチ３０やプリアンプ２８が破壊されることはない。つまり、送信信号のような＋ＶＦを超える大きな振幅を有する信号が受信回路２５に入力しても、リミッタ３１においてクランプ電圧程度まで制限される。
【００８７】
しかして、受信回路２５に悪影響を与えることなく超音波プローブ２２に導かれた送信信号は、圧電振動子２６に印加される。圧電振動子２６は、送信回路２４から受けた送信信号である電気パルスを超音波パルスに変換して図示しない被検体内に送信する。すると、被検体内において反射波が生じ、被検体内において生じた反射波は、圧電振動子２６により受信されて電気信号に変換される。
【００８８】
圧電振動子２６において得られた反射波の電気信号は、振幅が数十ｍＶｐ程度の受信信号となって、信号線２７を介して受信回路２５側に伝送される。このとき、受信信号は、振幅がノイズレベルから数１０ｍＶｐｐ程度までの信号であるため、送受分離回路３３を構成するダイオードのインピーダンスが十分に高くなる。このため、送信回路２４側の線路が受信回路２５側における受信信号の伝送線路から電気的に分離され、送信回路２４側の負荷容量が受信信号に与える影響が十分に低減される。
【００８９】
そして、送信信号は、受信回路２５に導かれ、リミッタ３１の振幅依存性回路３１ａの入力側に到達する。
【００９０】
このとき、第１のバイアス電流供給回路３１ｃ２１および第２のバイアス電流供給回路３１ｄ２２からは、抵抗ＲＨ、ＲＬの作用により各ダイオードＤＨ１、ＤＨ２、ＤＬ１、ＤＬ２のＯＮ抵抗が十分に小さくなるようなバイアス電流が順方向に供給されているため、振幅依存性回路３１ａの入力側に到達した受信信号は、ＯＮ抵抗が十分に小さくなった振幅依存性回路３１ａの各ダイオードＤＨ１、ＤＨ２、ＤＬ１、ＤＬ２を経由して振幅依存性回路３１ａの出力側からアナログスイッチ３０に導かれる。
【００９１】
すなわち、受信信号の電圧は、各ダイオードＤＨ１、ＤＨ２、ＤＬ１、ＤＬ２の順方向の電圧±ＶＦ以内の小さい振幅であるため、各ダイオードＤＨ１、ＤＨ２、ＤＬ１、ＤＬ２は順方向のバイアス状態を維持しながら受信信号を振幅依存性回路３１ａの出力側に通過させる。各ダイオードＤＨ１、ＤＨ２、ＤＬ１、ＤＬ２を通過した受信信号は、クランプ回路３１ｂ側に導かれるが、クランプ回路３１ｂの各ダイオードＤ３、Ｄ４のインピーダンスは、電圧が±ＶＦ以内の受信信号に対して十分大きいため受信信号には影響しない。
【００９２】
このため、アナログスイッチ３０により選択されたチャネルを流れる振幅の小さい受信信号は、リミッタ３１を経由して低耐圧のアナログスイッチ３０に導かれる。さらに、受信信号は、アナログスイッチ３０を経由してプリアンプ２８側に導かれ、並列チューニング回路３２により負荷容量によるＮＦの劣化が補償される。すなわち、並列チューニング回路３２により式（１）のように受信信号の角周波数ωに応じたインダクタＬｐが設定されて負荷容量ＣｐによるＮＦの劣化が補償される。
【００９３】
そして、このような並列チューニング回路３２によるＮＦの劣化補償後の受信信号は、プリアンプ２８に導かれて増幅された後、ＡＤＣ２９に与えられる。ＡＤＣ２９では、受信信号がデジタル信号に変換されて後段の図示しない制御系に与えられる。さらに、制御系において受信信号は断層画像情報や血流情報の取得用の元データとして利用される。
【００９４】
つまり、以上のような超音波診断装置２０は、受信回路２５のプリアンプ２８の入力側に送信信号のように振幅が大きい信号に対してはインピーダンスが大きく、受信信号のように振幅が小さい信号に対してはインピーダンスが小さくなるような特性のリミッタ３１を設けるとともに、リミッタ３１とプリアンプ２８との間に低耐圧のアナログスイッチ３０を挿入して、複数の圧電振動子２６からの受信信号を切り換えて、プリアンプ２８に導く構成である。
【００９５】
このため、超音波診断装置２０によればプリアンプ２８以降の回路を圧電振動子２６の数よりも少なくすることが可能となる。さらに、送信回路２４側においてもスイッチ手段により送信信号のチャネルを切り換える構成とすれば、送信信号のチャネル数と受信信号のチャネル数とをそれぞれ独立して任意に選択することができる。また、複数の圧電振動子２６に対応する受信回路２５および送信回路２４の回路要素を共通化することができるため、超音波診断装置２０の小型化や製造コストの低減を図ることができる。
【００９６】
さらに、超音波診断装置２０では、受信信号の切換えをリミッタ３１による振幅制限後にアナログスイッチ３０により行なう構成としたため、アナログスイッチ３０を送信信号に耐えうるような高耐圧のものとせずに、少なくとも受信信号に耐えることができる低耐圧のものを容易に選択することができる。そして、このような低耐圧のアナログスイッチ３０を受信信号の切換え用に用いることで以下のような特性を得ることができる。
【００９７】
まず第１に、アナログスイッチ３０への受信信号の入出力容量を、従来の高耐圧スイッチを用いた場合に比べて小さくすることができる。このため、Ｓ／Ｎ劣化の低減に繋げることができる。近年では、高速バスに使えるバススイッチ技術の向上によって、低耐圧系のアナログスイッチ３０として、＋５Ｖ単電源，±３．３Ｖを電源とするレールｔｏレールの低容量で、かつ低ＯＮ抵抗のＣＭＯＳアナログスイッチ３０が開発されている。
【００９８】
第２に、アナログスイッチ３０のＯＮ抵抗を、従来の高耐圧スイッチを用いた場合に比べて小さくすることができる。アナログスイッチ３０は、リミッタ３１を経由した、せいぜい１．４Ｖｐｐ程度の電圧の受信信号を通せばよいため、高耐圧性が要求されない。このため、ＯＮ抵抗が５Ω以下の低ＯＮ抵抗のＣＭＯＳアナログスイッチ３０が豊富に存在し、入手が容易である。さらに、アナログスイッチ３０におけるＯＮ抵抗の低減はＳ／Ｎの劣化低減に繋がる。
【００９９】
第３に、アナログスイッチ３０のオフアイソレーション（高ＯＦＦ抵抗性）を、従来のダイオードスイッチを用いた場合に比べて向上させることができる。超音波診断装置２０の受信回路２５は、リミッタ３１で受信信号の振幅を制限し、続いてＣＭＯＳスイッチ等のアナログスイッチ３０により受信信号のチャネルを切り換えるという２段構成でアイソレーションをとっているので、送信信号が受信信号に直接クロストークすることがなく、オフアイソレーションが良好である。さらに、アナログスイッチ３０にＣＭＯＳスイッチを用いた場合には、ＣＭＯＳスイッチのオフアイソレーションが６０ｄＢ程度と高いため、万一受信信号のチャネルが選択されていない圧電振動子２６に対して送信信号が与えられたとしても、超音波画像にアーチファクトが発生しにくい。
【０１００】
このような良好なオフアイソレーションが得られる結果、超音波パルスの送信に用いる圧電振動子２６と反射波の受信に用いる圧電振動子２６とをそれぞれ個別に任意に設定することが可能となるため、超音波プローブ２２の送信口径は受信口径の制約を受けることなく独立に設定できる。例えば、送信回路２４からは全ての圧電振動子２６に送信信号を与える一方、アナログスイッチ３０により受信回路２５における受信信号のチャネルを切り換えるように構成し、プリアンプ２８やＡＤＣ２９等の回路要素数を削減することが可能である。このように構成すれば、高価な高耐圧スイッチを用いるよりも安価に超音波診断装置２０を作ることが可能となるのみならず、音場設計の自由度を拡大することができる。
【０１０１】
第４に、アナログスイッチ３０を用いて受信信号のチャネルを切り換えるように構成することで、従来の高耐圧スイッチを用いた場合に比べて切換え時間を短くすることができる。低耐圧のアナログスイッチ３０の切換え時間は、３０μｓｅｃと短い。特に、シフトレジスタ内蔵のＣＭＯＳアナログスイッチ３０を用いれば、シリアル制御ラインで受信信号のチャネルを切り換えることができるため、実装性を向上させることができる。
【０１０２】
尚、図２に示すリミッタ３１において、電源電圧Ｖｐ、ＶｎがＶｐ≧ＶｎからＶｐ≦Ｖｎとなるように切り換えて従来の超音波診断装置１のようにダイオードスイッチを構成することも可能である。しかし、ダイオードスイッチの切換え時間はアナログスイッチ３０に比べて長いため電源電圧Ｖｐ、Ｖｎの切換えは行わないこと、つまりリミッタ３１をダイオードスイッチにはしないことが重要である。
【０１０３】
第５に、超音波診断装置２０では、アナログスイッチ３０のＯＮ抵抗の位置が受信系に対する負荷容量の負荷位置よりもプリンアンプ側となるため、ＮＦの観点から有利である。すなわち、圧電振動子２６側のインピーダンスが増加すると、受信系を簡略化したモデルにより得られた式（１）では、抵抗Ｒｔが増えたことに相当する。
【０１０４】
ここで、アナログスイッチ３０のＯＮ抵抗がプリアンプ２８側にある場合には、プリアンプ２８におけるノイズにアナログスイッチ３０のＯＮ抵抗による熱抵抗の影響が２乗和として効いてくる。つまり式（１）において、プリアンプ２８の電圧性ノイズＥｎａが増えたことに相当する。プリアンプ２８も圧電振動子２６も１ｎＶ／（Ｈｚ）１／２程度のノイズを持つとすると、このノイズは、６０ｏｈｍの抵抗が持つ熱雑音に相当する。このようなノイズに比べて、アナログスイッチ３０のＯＮ抵抗は５Ω程度以下と小さいので、２乗和を取ると４％程度となり、ほとんど影響がない。
【０１０５】
しかし、圧電振動子２６の出力インピーダンスＲｔの増加は単純な和で効いてくるので、８％程度と大きくなる。よって、アナログスイッチ３０のＯＮ抵抗の位置は、受信系に対する負荷容量の負荷位置よりもプリンアンプ側である方が、ＮＦの観点から有利であることが分かる。
【０１０６】
尚、式（１）において、ωＣｐ−１／（ωＬｐ）＝０となる場合、すなわち並列チューニング回路３２のインダクタＬｐの設定により負荷容量ＣｐによるＮＦの劣化がキャンセルされれば、負荷容量ＣｐによるＮＦの劣化は理想的にはないことになる。しかし、受信信号の周波数ωごとにチューニングするインダクタＬｐが変わるため、受信信号の周波数ωがある帯域を持つ場合は、ある１点の周波数以外の周波数の受信信号に対しては、チューニングできないため、アナログスイッチ３０はプリアンプ２８側にある方がよいことになる。
【０１０７】
そういう意味で、超音波診断装置２０では、アナログスイッチ３０をプリアンプ２８側に配置することで、チューニングされていない周波数においても、ＮＦ的に有利となるように構成されている。
【０１０８】
第６に、アナログスイッチ３０を用いることによって、従来の高耐圧スイッチを用いた場合に比べて超音波診断装置２０の受信回路２５の小パッケージ（高密度実装）化が可能となる。アナログスイッチ３０は、低耐圧のスイッチであるため、高耐圧スイッチのような耐圧性が必要とされず、アナログスイッチ３０自体を非常にコンパクトな構成とすることが可能になる。
【０１０９】
また、アナログスイッチ３０の駆動に高圧電源を必要としないため、電源の種類が少なく、高圧電源に対する電源監視回路等の回路を削減することができる。さらに、プリアンプ２８やＡＤＣ２９には周辺部品が多く、受信回路２５の実装面積を多くとるが、アナログスイッチ３０によって、プリアンプ２８以降の回路要素を減らすことが可能となり、受信回路２５の実装面積を大幅に縮小して、よりコンパクトな超音波診断装置２０を提供することができる。
【０１１０】
第７に、アナログスイッチ３０を低耐圧のものとすることにより、従来の高耐圧スイッチを用いた場合に比べて超音波診断装置２０の製造コストを安価にすることができる。超音波診断装置２０では、リミッタ３１で受信信号の振幅が１．４Ｖｐｐ程度（リミッタ３１を構成するダイオードがショットキーダイオードの場合には０．７Ｖｐｐ程度）に抑えられるので、アナログスイッチ３０は、これらの受信信号を通過させるために必要な電源で動く低耐圧のものとすることができる。
【０１１１】
例えば、オーバーシュートを考慮しても、±３．３Ｖ、±５Ｖ、単電源５Ｖ、単電源３．３Ｖ等の電源であれば十分であり、数多く流通している一般的なアナログスイッチ３０から選択することが可能である。このため、アナログスイッチ３０自体が極めて安価に入手できる。さらに、このアナログスイッチ３０によって、受信回路２５の製造コストの大部分を占めるプリアンプ２８やＡＤＣ２９等の回路要素の数を削減することができるため、超音波診断装置２０の製造コストを安価にすることが可能である。
【０１１２】
まとめると、超音波診断装置２０では、リミッタ３１を経由して高電圧成分が除去された受信信号を低耐圧のアナログスイッチ３０に導いて切り換える構成であるため、従来の超音波診断装置１、１Ａのようにスイッチをダイオードスイッチ８や高耐圧スイッチ１２とする必要性がない。従って、超音波診断装置２０では、高耐圧スイッチよりもＯＮ抵抗や入出力容量が小さく、かつ小型で安価な低耐圧のアナログスイッチ３０で受信回路２５を構成することが可能となるため、受信信号のスイッチによるＳ／Ｎ劣化を低減させることができる。
【０１１３】
図４は本発明に係る超音波診断装置の第２の実施形態を示す構成図である。
【０１１４】
図４に示された、超音波診断装置Ａでは、並列チューニング回路３２の配置および数が図１に示す超音波診断装置と相違する。他の構成および作用については図１に示す超音波診断装置と実質的に異ならないため同一の構成については同符号を付して説明を省略する。
【０１１５】
超音波診断装置Ａの受信回路２５では、並列チューニング回路３２がアナログスイッチ３０とリミッタ３１との間の各信号線２７上に個別にそれぞれ設けられる。従って、超音波診断装置Ａの受信回路２５では、アナログスイッチ３０を通過する前の各チャネルにおいて、並列チューニング回路３２のインダクタＬｐにより受信信号のチューニングが行われて、負荷容量ＣｐによるＮＦの劣化が補償される。
【０１１６】
このため、超音波診断装置Ａによれば、図１に示す超音波診断装置と同様に、従来の超音波診断装置１、１Ａのようにスイッチをダイオードスイッチ８や高耐圧スイッチ１２とする必要性がなく、ＯＮ抵抗や入出力容量が小さく、かつ小型で安価な低耐圧のアナログスイッチ３０で受信回路２５を構成することが可能となるため、受信信号のスイッチによるＳ／Ｎ劣化を低減させることができる。
【０１１７】
また、図１に示す超音波診断装置のように、アナログスイッチ３０の配置は、並列チューニング回路３２のインダクタＬｐより圧電振動子２６側にとなるようにすると、アナログスイッチ３０よりも圧電振動子２６側の負荷容量Ｃｐに対してチューニングがかかりにくくなるが、アナログスイッチ３０のＯＮ抵抗が小さいため、より広範囲のチューニングがかからない周波数においてＮＦの観点から有利である。さらに、並列チューニング回路３２を共通化することにより数を削減することもできる。
【０１１８】
これに対し、図４に示す超音波診断装置Ａのように、並列チューニング回路３２をよりアナログスイッチ３０よりリミッタ３１側に配置すれば、負荷容量Ｃｐと並列チューニング回路３２との間にアナログスイッチ３０が存在しないため、狭い帯域における感度を問題にする場合にチューニングがかかりやすく、チューニングされる周波数周辺ではＳ／Ｎ的に有利となる。
【０１１９】
また、並列チューニング回路３２の数を削減できないものの、並列チューニング回路３２はプリアンプ２８やＡＤＣ２９等の回路要素に比べ安価であり、アナログスイッチ３０の挿入により、プリアンプ２８以降の受信信号のチャンネル数を削減できるという効果が得られるため図４に示す超音波診断装置Ａの構成は、十分意味があると考えられる。
【図面の簡単な説明】
【０１２０】
【図１】本発明に係る超音波診断装置の第１の実施形態を示す構成図。
【図２】図１に示す超音波診断装置のリミッタの一構成例を示す回路図。
【図３】図１に示す超音波診断装置の受信回路を含む受信系を簡略化した等価回路モデルの構成図。
【図４】本発明に係る超音波診断装置の第２の実施形態を示す構成図。
【図５】従来の超音波診断装置の一例を示す構成図。
【図６】従来の超音波診断装置の別の例を示す構成図。
【符号の説明】
【０１２１】
２０、２０Ａ  超音波診断装置
２１  装置本体
２２  超音波プローブ
２３  プローブケーブル
２４  送信回路
２５  受信回路
２６  圧電振動子
２７  信号線
２８  プリアンプ
２９  ＡＤＣ（Analog-to-Digital Converter）
３０  アナログスイッチ
３１  リミッタ
３１ａ  振幅依存性回路
３１ｂ  クランプ回路
３１ｃ  第１のバイアス電流供給回路
３１ｄ  第２のバイアス電流供給回路
３２  並列チューニング（ｔｕｎｉｎｇ）回路
３３  送受分離回路
【図１】
2006087602.tif 000003
【図２】
2006087602.tif 000004
【図３】
2006087602.tif 000005
【図４】
2006087602.tif 000006
【図５】
2006087602.tif 000007
【図６】
2006087602.tif 000008